(57)【要約】  照明機能に用いる光源と映像投射機能に用いる光学ユニットとをより好適に配置した照明装置を提供する。照明光を発する照明装置であって、筺体の内部に配置される前記照明光を生成するための光源と、当該筺体の一部に取り付けた拡散板であって、前記光源からの照明光を拡散する拡散板と、前記筺体と前記拡散板の一部が形成する空間の内部に配置され、投射面に映像を投射するプロジェクタと、を備え、前記プロジェクタを構成する光学ユニットが、当該プロジェクタが備える表示素子から当該プロジェクタの投射光学系へ入射する光束の入射方向が、略鉛直方向、または水平面に平行な方向よりも鉛直方向により近い方向となる状態、または前記プロジェクタが備える表示素子からの光束が入射する前記投射光学系の光軸が、略鉛直方向、または水平面に平行な方向よりも鉛直方向により近い方向となる状態で配置されている。
2016103512.tif 000002
【特許請求の範囲】
【請求項１】
照明光を発する照明装置であって、
筺体の内部に配置される前記照明光を生成するための光源と、
当該筺体の一部に取り付けた拡散板であって、前記光源からの照明光を拡散する拡散板と、
前記筺体と前記拡散板の一部が形成する空間の内部に配置され、投射面に映像を投射するプロジェクタと、
を備え、
前記プロジェクタを構成する光学ユニットが、前記プロジェクタが備える表示素子から前記プロジェクタの投射光学系へ入射する光束の入射方向が、略鉛直方向、または水平面に平行な方向よりも鉛直方向により近い方向となる状態、または前記プロジェクタが備える表示素子からの光束が入射する前記投射光学系の光軸が、略鉛直方向、または水平面に平行な方向よりも鉛直方向により近い方向となる状態で配置されている、照明装置。
【請求項２】
請求項１に記載した照明装置において、
前記プロジェクタは水平面を映像投射面として映像を投射可能であり、
前記プロジェクタにおける前記水平面での映像投射領域と、前記光源により生じた光を拡散した照明光による前記水平面での照明範囲の少なくとも一部が重畳する、照明装置。
【請求項３】
請求項１に記載した照明装置において、
前記光学ユニットからの投射映像光が前記筺体と前記拡散板の一部が形成する空間の内部から出射するための開口部または透過窓を更に備え、
鉛直方向の配置において、前記光学ユニットからの映像出射光の出射位置が前記光源と前記開口部または透過窓との間に配置される、照明装置。
【請求項４】
請求項１に記載した照明装置において、
前記照明装置は、ペンダント型の照明装置である、照明装置。
【請求項５】
請求項１に記載した照明装置において、
前記照明装置は、シーリング型の照明装置である、照明装置。
【請求項６】
請求項１に記載した照明装置において、
前記光学ユニットは、前記照明装置からの照明光束の中央部に位置するように配置されている、照明装置。
【請求項７】
請求項１に記載した照明装置において、
前記光学ユニットは、前記照明装置からの照明光束の端部に位置するように配置されている、照明装置。
【請求項８】
請求項１に記載した照明装置において、
前記光学ユニットは、前記照明装置からの照明光束の中央部と端部の間に位置するように配置されている、照明装置。
【請求項９】
請求項１に記載した照明装置において、前記光源には、前記筺体の一部に取り付けた基板の下面に配置されて取り付けた発光素子が含まれる、照明装置。
【請求項１０】
請求項９に記載した照明装置において、
前記基板は、更に、その端部から垂直方向に延長した側面を有し、前記側面の外側に発光素子を備えている、照明装置。
【請求項１１】
請求項１に記載した照明装置において、
前記光源には、前記筺体の一部に取り付けた基板の下面と上面に配置されて取り付けた発光素子が含まれる、照明装置。
【請求項１２】
請求項１に記載した照明装置において、
前記筺体の一部に取り付けられた前記拡散板を、照明光を発生する前記光源とした、照明装置。
【請求項１３】
請求項１２に記載した照明装置において、
前記照明光を発生する前記光源をＥＬで構成した、照明装置。
【請求項１４】
請求項１に記載した照明装置において、
前記照明光を発生する前記光源をＬＥＤで構成した、照明装置。
【発明の詳細な説明】
【技術分野】
【０００１】
本発明は、照明装置に関する。
【背景技術】
【０００２】
天井や壁面に取り付けて、各種の機能を利用することができる通信機能モジュールをシーリングライトに取り付ける技術が、以下の特許文献１に開示されている。【０００３】
更に、照明光と映像を合わせた空間演出を可能とする、画像投影装置付き照明装置が、以下の特許文献２に開示されている。
【先行技術文献】
【特許文献】
【０００４】
【特許文献１】特開２００３−１６８３１号公報
【特許文献２】特開２０１２−１８６１１８号公報
【発明の概要】
【発明が解決しようとする課題】
【０００５】
しかしながら、上述した従来技術には、プロジェクタはブロック図や簡易的な外形が開示されるのみであり、照明装置におけるプロジェクタの光学系や光学素子のレイアウトまたは光学系や光学素子の配置を考慮した光学ユニットのレイアウトなどは開示されていない。よって、映像投射機能を有する照明装置における照明光用光源と、映像投射機能であるプロジェクタの光学ユニットとの間の効率的な配置についての考慮は、未だ不十分であった。【０００６】
そこで、本発明は、上述した従来技術における問題点に鑑みて達成されたものであり、その目的は、照明機能に用いる光源と映像投射機能に用いる光学ユニットとをより好適に配置した照明装置を提供することにある。
【課題を解決するための手段】
【０００７】
上記の目的を達成するため、本発明によれば、筺体の内部に配置される照明光を生成するための光源と、前記筺体の一部に取り付けた拡散板であって、前記光源からの照明光を拡散する拡散板と、前記筺体と前記拡散板の一部が形成する空間の内部に配置され、投射面に映像を投射するプロジェクタと、を備え、前記プロジェクタを構成する光学ユニットが、前記プロジェクタが備える表示素子から前記プロジェクタの投射光学系へ入射する光束の入射方向が略鉛直方向、または水平面に平行な方向よりも鉛直方向により近い方向となる状態、または前記プロジェクタが備える表示素子からの光束が入射する前記投射光学系の光軸が、略鉛直方向、または水平面に平行な方向よりも鉛直方向により近い方向となる状態で配置されているものである。
【発明の効果】
【０００８】
本発明によれば、照明機能に用いる光源と映像投射機能に用いる光学ユニットとをより好適に配置した照明装置を提供することができる。
【図面の簡単な説明】
【０００９】
【図１】本発明の一実施の形態になるペンダント型照明装置の外観構成を、その使用環境と共に示した斜視図である。
【図２】本発明の一実施の形態になるシーリング型照明装置の外観構成を、その使用環境と共に示した斜視図である。
【図３】上記照明装置の内部構成を示すため、拡散板の一部を取り除いて下方から見た図である。
【図４】上記照明装置における照明用光源の具体例を示す図である。
【図５】上記ペンダント型照明装置を天井面から吊り下げるための保持具について説明する図である。
【図６】上記照明装置の光学ユニットの内部の詳細な回路構成を示すブロック図である。
【図７】上記照明装置における光学ユニットの配置である縦置きを定義するための側面図である。
【図８】上記照明装置における光学ユニットの配置である縦置きを定義するための斜視図である。
【図９】上記ペンダント型照明装置の筐体内における光学ユニットと照明用光源のレイアウト（配列）の実施例を説明する側面図と下面図である。
【図１０】上記ペンダント型照明装置の筐体内における光学ユニットと照明用光源のレイアウト（配列）の他の実施例を説明する側面図と下面図である。
【図１１】上記ペンダント型照明装置の筐体内における光学ユニットと照明用光源のレイアウト（配列）の他の実施例を説明する側面図と下面図である。
【図１２】上記ペンダント型照明装置の筐体内における光学ユニットと照明用光源のレイアウト（配列）の変形例を説明する側面図と下面図である。
【図１３】上記ペンダント型照明装置の筐体内における光学ユニットと照明用光源のレイアウト（配列）の他の変形例を説明する側面図と下面図である。
【図１４】上記ペンダント型照明装置の筐体内における光学ユニットと照明用光源のレイアウト（配列）の他の変形例を説明する側面図と下面図である。
【図１５】上記ペンダント型照明装置の筐体内における光学ユニットと照明用光源のレイアウト（配列）の他の変形例を説明する側面図と下面図である。
【図１６】上記ペンダント型照明装置の筐体内における光学ユニットと照明用光源のレイアウト（配列）の他の変形例を説明する側面図である。
【図１７】上記シーリング型照明装置の筐体内における光学ユニットと照明用光源のレイアウト（配列）の実施例を説明する側面図と下面図である。
【図１８】上記シーリング型照明装置の筐体内における光学ユニットと照明用光源のレイアウト（配列）の他の実施例を説明する側面図と下面図である。
【図１９】上記シーリング型照明装置の筐体内における光学ユニットと照明用光源のレイアウト（配列）の他の実施例を説明する側面図と下面図である。
【図２０】上記シーリング型照明装置の筐体内における光学ユニットと照明用光源のレイアウト（配列）の変形例を説明する側面図と下面図である。
【図２１】上記シーリング型照明装置の筐体内における光学ユニットと照明用光源のレイアウト（配列）の他の変形例を説明する側面図である。
【発明を実施するための形態】
【００１０】
以下、本発明の実施の形態について、添付の図面を参照しながら、詳細に説明する。
＜ペンダント型およびシーリング型の映像投射機能付き照明装置＞
【００１１】
まず、添付の図１および図２は、本発明の一実施の形態である映像投射機能付き照明装置の外観構成を示しており、特に、図１は、天井面から吊るすような形態で取り付けられる、所謂、ペンダント型と呼ばれる照明装置に映像投射機能を搭載した映像投射機能付き照明装置を示している。図２は、天井面に取り付けられる、所謂、シーリング型と呼ばれる照明装置に映像投射機能を搭載した映像投射機能付き照明装置を示している。
【００１２】
これらの図からも明らかなように、これらの映像投射機能付き照明装置１０、１０’は、例えば、キッチン、ダイニングルーム、または、居間、オフィス等の空間を構成する壁面、または、天井５０などに取り付けて使用される。より具体的には、図にも示すように、室内に設置されたテーブルや机６０の上方において、所定の高さ、または、天井面に一体に設置される。これら映像投射機能付き照明装置１０、１０’は、照明光をテーブルや机の上面に照射する照明機能と、当該テーブルまたは机６０の上面（表示面または投射面）６１に各種の映像を投射して表示する映像投射機能と両方有する照明装置である。なお、図１における符号４０は、特に、ペンダント型の照明装置１０を天井面から所望の位置に吊り下げた状態で保持するための保持具を示している。
【００１３】
映像投射機能で映像を投射したい水平面テーブルまたは机などは、映像投射機能を用いない状態で使用する際などに照明機能で照明する対象になる可能性が高い。よって、前記映像投射機能で映像を投射する領域と前記照明機能の照明光の照明範囲は少なくとも一部が重畳することが望ましい。
【００１４】
また、映像投射機能付き照明装置は、制御部を搭載することにより、照明機能で照明光と映像投射機能で投射する映像とはそれぞれＯＮ／ＯＦＦできるように構成するのが望ましい。
【００１５】
図３は、一例として、上記図１に示したペンダント型の映像投射機能付き照明装置１０の内部構成を示しており、この図にも明らかなように、例えば、合成樹脂の金型成型により形成した、外形略円筒または円錐状の本体（または、筺体ともいう）（シェード）１１の内部には、以下にも詳細に述べるが、例えば、複数の半導体発光素子（ＬＥＤ）を面状に配列してなる照明用光源２０（ここでは、各半導体発光素子の記載は省略し、取り付け位置を破線の円形で示す）と、そして、各種の映像を投射して表示するための小型プロジェクタ、特に、当該プロジェクタを構成する主要部分であるプロジェクタ光学ユニット（光学エンジン）３０を備えている。
【００１６】
なお、図中の符号１２は、上記本体１１の下方開口部を覆うように設けられ、上記照明用光源２０からの照明光を拡散して下方に均一に照射するための、所謂、拡散板を示している。なお、上記では、本体（シェード）１１の外形を円筒または円錐状として説明したが、本発明は、これに限定されることなく、その他の形状、例えば、箱型のものであってもよい。
【００１７】
なお、ここでは図示しないが、上記図２に示したシーリング型の映像投射機能付き照明装置１０’の内部構成も、上述したペンダント型の映像投射機能付き照明装置とほぼ同様に、合成樹脂の金型成型により形成した本体（筺体またはシェード）の内部に、複数の半導体発光素子（ＬＥＤ）を面状に配列してなる照明用光源と、各種の映像を投射して表示するための小型プロジェクタを構成する光学ユニット、そして、拡散板を備えていることはいうまでもない。また、本体（シェード）の外形も、図２の例では、方形状の箱型のものとして説明したが、本発明は、これに限定されることなく、その他、円板や楕円板の形状であってもよい。
【００１８】
図４は、上述した照明用光源２０の具体例を示しており、この図は、上記図１のペンダント型の映像投射機能付き照明装置１０を、その拡散板１２を外した状態で、下方から見た下面図である。この図からも明らかなように、例えば、熱伝導性に優れた金属などからなる円盤状の基板２１の面上に、複数（本例では、１０個）の半導体発光素子（ＬＥＤ）２２が、ほぼ均等な照射光が得られるように配列されて取り付けられて構成されている。以降の図で映像投射機能付き照明装置１０を下から見た図面では、構造が理解しやすいように、いずれも拡散板１２を外した状態で説明する。
【００１９】
なお、ここでは図示しないが、上述した拡散板１２は、照射光を散乱する透明または半透明の部材により、上記照明用光源２０の下方の開口を覆うように取り付けられており、その一部、すなわち、上記プロジェクタの光学ユニット３０からの映像光が投射される位置には、当該映像光を透過するための開口部または透明な窓部である透過窓１４が形成されている。
【００２０】
また、後にも説明するが、光学ユニットのインタラクティブ機能を実現するために、その一部に取り付けられたセンサーとしてのカメラを設けてもよい。なお、このカメラは、例えば、表示面６１を含む撮像範囲における赤外光成分を検出するものであり、これによれば、利用者の動作を撮影し、または、利用者が操作する操作物からの反射光を検知することにより、利用者の操作内容を検出することができる。
【００２１】
ここで、上記図１にも示されるように、ペンダント型の映像投射機能付き照明装置１０の上面には、当該映像投射機能付き照明装置１０の本体１１を天井面から所望の位置に吊り下げた状態で保持するための保持具４０が固定されているが、この保持具４０について、添付の図５を参照しながら、以下に説明する。
【００２２】
すなわち、保持具４０の一端（下端）は、上記映像投射機能付き照明装置１０の本体１１を構成する底面（上端面）に固定されると共に、この保持具４０は、その他端（上端）には、天井面に固定するための円盤状の取り付け具４５を備えており、例えば、ネジ４６やネジ穴４７などによって、天井面にしっかりと固定される。
【００２３】
なお、ここで、発明者等による検討によれば、特に、照明光をテーブルや机の上面に照射するだけでなく、当該テーブルまたは机の上に映像を投射して表示することが可能な映像投射機能付き照明装置１０では、映像投射機能付き照明装置本体１１が揺れ、または、回転すると、投射映像の揺れが生じ表示装置としての機能を十分に達成できない状況が起こりうることが分かった。
【００２４】
そこで、本例では、上述した保持具４０を、例えば、アルミニウム等の中空の金属管等、所謂、剛性の部材で形成しており、これにより好適な結果が得られた。なお、その際には、当該保持具４０を構成する管体の内部に、上記半導体発光素子（ＬＥＤ）からなる光源２０と、そして光学ユニット３０へ電力を供給するための電源コード４８、更には、必要に応じて、映像信号を供給するためのケーブル等をも収納することによれば、当該電源コードやケーブルを外部において這い回す必要がなくなり、意匠性にも優れた映像投射機能付き照明装置とすることができる。
【００２５】
また、当該保持具４０を構成する管体を、その下端が映像投射機能付き照明装置本体１１の内部空間に対して開口し、すなわち、映像投射機能付き照明装置本体１１内部の空気が保持具４０の管体に流入可能なように構成することによれば、本体内部に収納された光源２０および光学ユニット３０からの発熱を、所謂、煙突効果により管体に導き、当該管体の上部に形成したスリット状の開口部４９を介して外部に放出することが可能となる（図中の、白抜きの矢印を参照）。これによれば、映像投射機能付き照明装置１０のより効率的な冷却にも資することが可能となる。
【００２６】
更に、ここでは図示しないが、上記保持具４０を構成する管体として、互いに径が異なり、スライド可能な複数本の管体（パイプ）を、同心状に組み合わせ、その一部に固定部を設け、もって、その全体の長さを調整することが可能な管体を利用することも可能である。これによれば、天井５０から吊り下げられた映像投射機能付き照明装置１０の高さを自在に調節可能とすることから、更にその利用性に優れた映像投射機能付き照明装置を実現することが可能となる。
【００２７】
図６は、上記光学ユニット３０、所謂、投射型映像表示装置の内部を構成する回路構成の詳細な一例を示すブロック図である。
【００２８】
投射光学系１０１（上記図３では符号３４）は、映像を表示面６１へ投射する光学系で、レンズおよび／またはミラーを含む。表示素子１０２（上記図３では符号３２）は、投射する映像を生成する素子で、透過型液晶パネル、反射型液晶パネル、ＤＭＤ（Ｄｉｇｉｔａｌ  Ｍｉｃｒｏｍｉｒｒｏｒ  Ｄｅｖｉｃｅ：登録商標）パネル等を用いる。表示素子駆動部１０３は、表示素子１０２に対して映像信号に応じた駆動信号を送る。光源１０５（上記図３では符号３１）は投射用の照明光を発生するもので、高圧水銀ランプ、キセノンランプ、ＬＥＤ光源、レーザー光源等を用いる。
【００２９】
電源１０６は光源１０５に電力を供給する。照明光学系１０４は、光源１０５で発生した照明光を集光し、より均一化して表示素子１０２に照射する。冷却部１１５は、光源１０５、電源１０６または表示素子１０２など、高温状態になる各部位を空冷方式や液冷方式で必要に応じて冷却する。操作信号入力部１０７は、装置本体上の操作ボタンやリモコンの受光部であり、ユーザからの操作信号を入力する。
【００３０】
映像入力部１３１は、外部の映像出力装置を接続して映像データを入力する。音声入力部１３３は、外部の映像出力装置を接続して音声データを入力する。音声出力部１４０は、音声入力部１３３に入力された音声データに基づいた音声出力を行うことが可能である。また、音声出力部１４０は内蔵の操作音やエラー警告音を出力してもよい。通信部１３２は、例えば、外部の情報処理装置と接続し、各種の制御信号を入出力する。
【００３１】
不揮発性メモリ１０８は、インタラクティブ機能における各種操作用のデータ、表示アイコン、後述するキャリブレーション用のデータやその他プロジェクタ機能で用いるデータを格納する。メモリ１０９は、投射する映像データや装置の制御用データを記憶する。制御部１１０は、装置内各部の動作を制御する。特に、センサー１５０とインタラクティブ機能部１２０を制御してインタラクティブ機能を実行させる。
【００３２】
センサー１５０は、表示面６１上の映像投射領域と重畳する範囲を撮影するカメラで、赤外光成分を検出することで、操作物による反射光を検知することができる。なお、センサー１５０の光学フィルターのカット波長を可視光波長域に設定する（例えば、赤色可視光領域の途中に設定する）ことで、赤外光以外の一部の可視光成分（すなわち表示画面の投射映像）を赤外光成分とともに撮影することも可能である。
【００３３】
インタラクティブ機能部１２０は、ユーザが発光ペンや指を操作することで、映像領域へ文字や図形を書き込むなどのインタラクティブ動作を行う部分である。そのために、センサー１５０から取得した赤外線画像を解析して発光ペンや指の位置（ユーザが操作した位置）を算出する機能や、投射映像中に操作アイコンを合成したり、ユーザの操作に基づいて描画処理等を行うアプリケーションや、外部の映像出力装置から入力される映像等の操作を行うアプリケーションなど、発光ペンや指により操作可能なアプリケーションを実行する機能などを有する。
【００３４】
ここで、センサー１５０の撮影範囲と、表示面６１に投射された映像（表示素子１０２の映像領域の表示面６１上での光学像）の範囲とが、一致することはまずない。よって、ユーザが操作（描画）した位置を算出する際に、センサー１５０の撮影範囲での座標と、表示面６１に投射された映像中の座標位置を変換する必要がある。よって、インタラクティブ機能部１２０は、当該変換の処理および当該変換処理のための変換テーブルデータ（キャリブレーションデータ）を作成するための処理を行う機能などを有する。
【００３５】
映像入力部１３１は、外部の映像出力装置を接続して映像データを入力する。音声入力部１３３は、外部の映像出力装置を接続して音声データを入力する。通信部１３２は、例えば、外部の情報処理装置と接続して各種制御信号を入出力する。
【００３６】
なお、上記の例では、上記図３にも示したように、光学ユニット３０の光源３１（例えば、半導体発光素子（ＬＥＤ））からの光は、例えば、ＤＭＤ（Ｄｉｇｉｔａｌ  Ｍｉｃｒｏｍｉｒｒｏｒ  Ｄｅｖｉｃｅ：登録商標）などの反射型映像表示素子（または、液晶パネルなどの透過型映像表示素子でもよい）からなる表示部３２により映像光に変調され、各種のレンズを含む投射光学系３４を介して、外部に投射される。
【００３７】
すなわち、光学ユニット３０から下方に向かって投射された映像は、その下方において、上記映像投射機能付き照明装置１０による照明光の照射可能領域と少なくとも一部が重畳する範囲に表示される。なお、この光学ユニット３０の詳細については、後にも再び説明するが、これに先立ち、以下では、当該光学ユニット３０と上述した照明用光源２０、更には、拡散板１２との間の、映像投射機能付き照明装置１０の本体（シェード）１１内部における位置関係について述べる。
【００３８】
また、上述した図６に示した回路構成は、例えば、回路基板上に組み立てられ、上記光学ユニット３０の内部に配置されてもよく、または、外部（例えば、図１０以降で説明する照明用光源２０が配置される円盤状の基板２１の裏面等）に配置されてもよい。
＜プロジェクタ光学ユニットの配置の定義＞
【００３９】
ここで、本明細書では、プロジェクタを構成する光学ユニット（３０）の配置を、以下のように定義する。
＜光学ユニットの縦置き＞
【００４０】
光学ユニットの縦置きとは、図７および図８にも示すように、プロジェクタを構成する表示素子（図３の符号３２）からの光束が、例えば、レンズ等の各種光学素子を含む、所謂、投射光学系（３４）へ入射する際において、当該光束の入射方向、または、当該光束が入射する投射光学系（３４）の光軸が、水平面（図の面に垂直な面）に対して略垂直方向に配置される状態または水平面に平行な方向よりも鉛直方向により近い方向に配置される状態をいう。なお、図７、図８において、ｚ方向が鉛直方向すなわち水平面に垂直な方向である。
【００４１】
このようなレイアウトによれば、投射光学系（３４）から射出した光により、水平面上に、表示素子（３２）の光学像を結像することができる。ここでは図示しないが、光源（３１）から表示素子（３２）までの光学系には様々なレイアウトがあり、その一例として、例えば、当該表示素子（３２）としては、透過型や反射型等のものがある。また、表示素子（３２）が１枚のレイアウトのものや、表示素子が複数枚のレイアウトのもの等、様々な光学系のものが知られている。
【００４２】
しかしながら、図７、図８に示す縦置きレイアウトで光学ユニットケースの小型化を図る場合、これら表示素子（３２）と投射光学系（３４）のレイアウトを考慮すると、図のｚ方向への光学ユニットの薄型化は容易ではない。
【００４３】
しかしながら、光学ユニット（３０）の縦置きレイアウトでは、他の方向に比べて、光学ユニットのｙ方向への薄型化は容易である。よって、縦置きレイアウトで光学ユニットケースの小型化を図る場合、図８の斜視図に示すように、ｚ方向よりもｙ方向に薄い光学ユニットが形成される。
【００４４】
なお、図に破線で示すように、表示素子（３２）の中心位置と投射系（３４）光軸のｘｙ平面での相対位置設定を変更すれば、水平面上の表示素子の光学像の位置を変更することが可能となる。これにより、水平面上の投射映像の位置を設計上の必要に応じて自在に設定することが可能となる。
【００４５】
続いて、以下には、上述した光学ユニット（３０）の縦置きレイアウトによる映像投射機能付き照明装置のうち、特に、ペンダント型の映像投射機能付き照明装置１０のより具体的なレイアウト（配列）について、図９〜図１１を参照しながら説明する。
＜ペンダント型の映像投射機能付き照明装置＞
【００４６】
まず、図９（Ａ）および（Ｂ）は、ペンダント型の映像投射機能付き照明装置１０の側面断面と下面図である。この例では、本体である筺体（シェード）１１の内側の底面には、複数の半導体発光素子（ＬＥＤ）２２を備えた照明用光源２０の基板２１を取り付けられている。更に、図の下側の開口面にはこれを覆うように、拡散板１２が取り付けられている。また、筺体（シェード）１１と拡散板１２で形成される空間には、光学ユニット３０が、照明光束の略中央部に位置するように配置されている。
【００４７】
図９の例では、拡散板１２において、光学ユニット３０から下向きに投射光が出射される位置には、開口部または透過窓１４が設けられる。開口部または透過窓を設けず拡散板１２の全面に拡散効果があると光学ユニット３０から出射される投射映像まで拡散してしまい、テーブルや机などの映像投射対象面上で映像が結像できなくなってしまうからである。開口部または透過窓１４の部分は、拡散板１２を切り欠いた開口でもよく、拡散効果のないガラスなどの透過性物質でもよい。
【００４８】
透過性物質などで形成する透過窓の場合は、拡散板１２内に埃などが入りにくい構成にすることができるが、光学ユニット３０から出射される投射映像に極力影響を与えないように、光学ユニット３０から出射される投射光が有する波長域において極力分光特性が平たんな特性のコーティングを施すべきである。
【００４９】
なお、開口部または透過窓１４の周囲は直接拡散板１２とつながっている必要はなく、拡散板１２上の光学ユニット３０の影を見えにくくするために、開口部または透過窓１４と拡散板１２の間に化粧板などの領域を設けてもよい。すなわち、開口部または透過窓１４とは、筺体（シェード）１１と拡散板１２で形成される空間に配置される光学ユニット３０から投射される映像投射光が出射するために必要な通過口または透過口であり、その位置は、拡散板１２であってもその他の構造物の一部であってもよい。
【００５０】
このようなレイアウト（配列）によれば、光学ユニット３０を水平面に平行な方向に薄型化できるので、照明用光源２０から拡散板１２への照明面積に対し、光学ユニット３０により形成される影の割合を小さくすることが可能となる。このことにより、拡散板１２上に形成される光学ユニット３０の影の影響で照明装置としての見た目の品位が低下（すなわち、拡散板１２上の影による照明装置として違和感）してしまうことを抑制することが可能となる。また、上記の筺体（シェード）１１を拡散板で形成した場合にも、光学ユニット３０の影が目立たず、照明装置としての見た目の品位の低下を抑制することが可能となる。
【００５１】
なお、拡散板１２は、発光面積の小さい複数の半導体発光素子（ＬＥＤ）２２から光を拡散することにより、より均一な光分布特性を有する拡散光に変換する効果を有する。半導体発光素子（ＬＥＤ）２２の数を増やせばより均一な拡散光が得られるが、コストが高くなる。複数の半導体発光素子（ＬＥＤ）２２の数を固定すると、複数の半導体発光素子（ＬＥＤ）２２と拡散板１２との距離が離れれば離れるほど、隣あって配置される半導体発光素子（ＬＥＤ）２２同士からの発光が重なり合うため、より均一な拡散光が得られる。よって、コストパフォーマンスと均一な拡散光の獲得を両立するためには、複数の半導体発光素子（ＬＥＤ）２２と拡散板１２との距離を可能な限り長くした方がよい。
【００５２】
一方、光学ユニット３０の投射光学系は拡大投射系であるので、光学ユニット３０から下向きに投射される投射光は下方に進めば進むほど拡大してゆく。すると、光学ユニット３０から投射光が下方向に出力される位置（図７および図８の例では、投射光学系３４から投射光が下向きに出射される位置）と開口部または透過窓１４との距離はできるだけ短い方がよい。この距離を長くすると、映像投射光の拡大により、拡散板１２の一部に設けた開口部または透過窓１４の面積を大きくする必要が生じ、その部分の照明光の拡散効果が得られなくなってしまうからである。
【００５３】
すると、コストパフォーマンス、拡散光の均一性、および開口部または透過窓の小型化の全てのバランスをより好適に得るためには、図９に示すように光学ユニット３０を筺体（シェード）１１と拡散板１２で形成される空間に縦置きし、光学ユニット３０から投射光が下方向に出力される位置を光源２０よりも低い位置に配置すればよい。このようにすれば、複数の半導体発光素子（ＬＥＤ）２２と拡散板１２との距離を確保することができ、また光学ユニット３０から投射光が下方向に出力される位置と開口部または透過窓１４との距離は短くすることができ、コストパフォーマンス、拡散光の均一性、および開口部または透過窓の小型化の全てのバランスをより好適に得ることができる。
【００５４】
後述する図１０、図１１、図１２、図１３、図１４、図１５、図１７、図１８、図１９、図２０等でも同様の距離関係を有することにより同様の効果を得ることができる。この場合、鉛直方向の配置において、光学ユニット３０からの映像出射光の出射位置が前記光源２０と前記開口部または透過窓１４との間に配置されることとなる。
【００５５】
図１０（Ａ）および（Ｂ）は、ペンダント型の映像投射機能付き照明装置１０の側面断面と下面図であり、この例では、筺体（シェード）１１の内部に取り付けた光学ユニット３０が、照明光束の端部に位置するように配置されている。
【００５６】
このレイアウト（配列）によれば、図９の例と同様、照明装置としての見た目の品位の低下を抑制することが可能となる。また、図１０の配列では、光学ユニット３０が、照明光束の端部に位置するように配置したうえで、光学ユニット３０内で投射光学系の光軸と表示素子中心の位置を水平方向に相対的にずらすことにより、プロジェクタの投射光学系の射出口に対して投射映像の中心をより照明用光源２０の照明光束の中心に近付くように投射する。
【００５７】
更に、以下にも述べる図１０の配列によれば、通常、机上に配置して使用される、所謂、据置き型のプロジェクタをそのまま流用することも可能である。据置き型のプロジェクタは投射光学系の光軸と表示素子中心の位置を既にずらして設定されたものが多いからである。よって、図１０の映像投射機能付き照明装置は低コスト化に適した構造を有するものである。当該効果は、光学ユニット３０が下向きの照明光束の端部に位置する他の構成例においても同様に生じる効果である。
【００５８】
更には、図１１（Ａ）および（Ｂ）にも示すように、光学ユニット３０を、図９のレイアウト（配列）と図１０のレイアウト（配列）との中間の位置に配置することも可能であり、その場合においても、上記の例と同様に、照明装置としての見た目の品位の低下を抑制することが可能となる。
【００５９】
また、上述したペンダント型の映像投射機能付き照明装置１０の他の変形例について、添付の図１２〜図１６を参照しながら説明する。
【００６０】
図１２（Ａ）および（Ｂ）は、複数の半導体発光素子（ＬＥＤ）２２を備えた照明用光源２０用の基板２１の中央部を、略「コ」の字状に折り曲げて溝部２５を形成し、その内部に光学ユニット３０を配置した（すなわち、照明光束の略中央部に位置する）構成を示す。かかる構成によれば、上述した光学ユニット縦置きの効果に加えて、更に、上記溝部２５内に光学ユニット３０を配置することにより、光学ユニット３０の自体の影が、表面が白色の拡散板１２の下方に直接映らず、照明装置としての見た目の品位の低下を更に抑制することが可能となる。なお、上記溝部２５の一部、すなわち、光学ユニット３０が配置される位置には、当該光学ユニット３０からの投射光を透過するための開口部（または透過窓）２６を形成する。
【００６１】
特に、複数の半導体発光素子（ＬＥＤ）２２からの照明光が反射する溝部２５の外側の面（光学ユニット３０が格納される面の反対側の面）を白色塗装や鏡面塗装などの反射率の高い塗装を行うことにより溝部２５自体の影を拡散板１２上に形成することを抑制することが可能となる。
【００６２】
また、溝部２５の底面には、拡散板１２があってもよいが、溝部２５の底面の部分について拡散板１２がない状態としてもよい。図１２の例では拡散板１２は、溝部２５の底面により二分割されることとなる。
【００６３】
図１３（Ａ）および（Ｂ）は、照明用光源２０用の基板２１の両面に複数の半導体発光素子（ＬＥＤ）２２を備えるように配置した構成を示す。これにより、照明光を下方に加えて上方にも照射することの可能な構成を示す。なお、図１３では、光学ユニット３０の配置は下方への照明光の照明光束の端部となっているが、光学ユニット３０の配置は下方への照明光の照明光束の中央部等に配置してもよい。かかる構成によれば、映像投射機能付き照明装置１０の上方にも照明光を照射することが可能となり、上側照射では天井などを照射可能なので間接照明としても機能する（天井側間接照明機能）。なお、この例では、筺体（シェード）１１の下面の開口面の拡散板１２（下方拡散板）に加えて、筺体（シェード）１１の上面の開口面を覆うように拡散板１２（上部拡散板）が取り付けられている。
【００６４】
また、このような方向が異なる複数の照射方向を有する照明機能と、映像投射機能とを有する構成にすることにより、複数の照射光と投射映像との照射組み合わせモードの切り替えを実現することもできる。例えば、投射映像のみを下方向に照射するモード、下方へ照射光を照射し映像を投射しないモード、上方へ照射光を照射し映像を投射しないモード、上方へ照射光を照射するとともに下方向へ投射映像を投射するモード等を切り替える制御を行ってもよい。
【００６５】
図１４（Ａ）および（Ｂ）は、上記照明用光源２０用の基板２１の端部を垂直方向に延長して円筒状に形成し、その底面に複数の半導体発光素子（ＬＥＤ）２２を取り付けると共に、当該円筒状の基板２１の外周表面にも複数の半導体発光素子（ＬＥＤ）２２を取り付けるように構成した例である。これにより、照明光を下方に加えて側方にも照射することの可能な構成を示す。なお、この例では、光学ユニット３０は、下方への照明光束の略中央部に位置するように配置されている。なお、光学ユニット３０の配置は下方への照明光の照明光束の略中央部でなくともよい。下方への照明光の照明光束の端側すなわち円筒の側面近くに配置してもよい。
【００６６】
また、筺体１１の下面の開口面の拡散板１２（下方拡散板）に加えて、筺体１１の外周にも拡散板１２（側方拡散板）が取り付けられている。かかる構成によれば、上述した光学ユニット縦置きの効果に加えて、映像投射機能付き照明装置１０の側方にも照明光を照射することができる（広い範囲の照明機能）。
【００６７】
図１４の例では、図１３と同様、方向が異なる複数の照射方向を有する照明機能を有するので、図１３で説明したように照明機能の複数の照射方向の照射光と映像投射機能の投射映像について複数のモードの切り替え制御を行ってもよい。
【００６８】
図１５（Ａ）および（Ｂ）の例では、上記照明用光源２０用の基板２１の端部を垂直方向に延長して円筒状に形成すると共に、更に、水平方向にも延長して鍔部を形成している。また、複数の半導体発光素子（ＬＥＤ）２２を、上記基板２１の上下の両面、円筒状部の外周面、そして、鍔部の下面に取り付けた構成としている。
【００６９】
なお、光学ユニット３０の配置は下方への照明光の照明光束の略中央部でなくともよい。下方への照明光の照明光束の端側すなわち円筒の側面近くに配置してもよい。また、筺体（シェード）１１の下面の拡散板１２（下方拡散板）に加えて、筺体（シェード）１１の上面および外周の一部（上部）を覆うように開口が形成され、拡散板１２（上部周囲方向拡散板）が取り付けられている。かかる構成によれば、上述した光学ユニット縦置きの効果に加えて、映像投射機能付き照明装置１０の上面や側方をも含め、偏りなく、照明光を周囲に照射することが可能となる（広い範囲の照明機能）。
【００７０】
図１５の例では、図１３と同様、方向が異なる複数の照射方向を有する照明機能を有するので、図１３で説明したように照明機能の複数の照射方向の照射光と映像投射機能の投射映像について複数のモードの切り替え制御を行ってもよい。
【００７１】
図１６は、上記図９の構成において、複数の半導体発光素子（ＬＥＤ）２２を備えた照明用光源２０用の基板２１に代えて、例えば、ＥＬ（エレクトロルミネッセンス）等の面状の発光体１２１を採用し、当該発光体１２１を上記筺体（シェード）１１の下端部（すなわち、図９の拡散板１２の位置）に配置した構成を示す。
【００７２】
かかる構成によれば、照明光は、光学ユニット３０が内部に収納された筺体（シェード）１１の下端部を覆う発光体１２１から照射されることから、内部の光学ユニット３０が外部から認識されることなく、照明装置としての見た目の品位の低下をより確実に抑制することが可能となる。なお、本例では、光学ユニット３０は、下方への照明光束の端部に位置するように配置されている例のみを示したが、これに限定されることなく、更には、その略中央部、または、その中間の位置に配置しても、同様の効果を達成することが可能となる。
【００７３】
また、上述の例では発光体１２１は、筺体（シェード）１１の下端部を覆うように構成したが、筺体（シェード）１１の側面下部端を発光体１２１よりも下方向に伸ばして深いシェードを構成してもよい。
【００７４】
なお、図１６は、図９から複数の半導体発光素子（ＬＥＤ）２２を無くし、拡散板１２の部分に面状の発光体１２１を配置したものである。同様の考え方で、図１３、図１４、または図１５の構成例において、複数の半導体発光素子（ＬＥＤ）２２を無くし、拡散板１２の部分に面状の発光体１２１を配置することも可能である。この場合、面状の発光体１２１を照明機能として有し、かつ複数の照射方向に照明光を照射可能な映像投射機能付き照明装置１０’を実現できる。この場合、図１３と同様、方向が異なる複数の照射方向を有する照明機能を有するので、図１３で説明したように照明機能の複数の照射方向の照射光と映像投射機能の投射映像について複数のモードの切り替え制御を行ってもよい。
【００７５】
更に、以下には、上述した光学ユニット（３０）の縦置きレイアウトによるシーリング型の映像投射機能付き照明装置１０’のより具体的なレイアウト（配列）について、図１７〜図１９を参照しながら説明する。
＜シーリング型の映像投射機能付き照明装置＞
【００７６】
まず、図１７（Ａ）および（Ｂ）は、シーリング型の映像投射機能付き照明装置１０’の側面断面と下面図である。この例では、本体である筺体（シェード）１１の内側の底面には、複数の半導体発光素子（ＬＥＤ）２２を備えた照明用光源２０の基板２１が取り付けられている。更に、図の下側の開口面側にはこれを覆うように、拡散板１２が取り付けられている。また、筺体（シェード）１１と拡散板１２で形成される空間には、光学ユニット３０が、照明光束の略中央部に位置するように配置されている。
【００７７】
このようなレイアウト（配列）によれば、光学ユニット３０を水平面に平行な方向に薄型化できるので、照明用光源２０から拡散板１２への照明面積に対し、光学ユニット３０により形成される影の割合を小さくすることが可能となる。このことにより、拡散板１２上に形成される光学ユニット３０の影の影響で照明装置としての見た目の品位が低下（すなわち、拡散板１２上の影による照明装置として違和感）してしまうことを抑制することが可能となる。また、上記の筺体（シェード）１１を拡散板で形成した場合にも、光学ユニット３０の影が目立たず、照明装置としての見た目の品位の低下を抑制することが可能となる。
【００７８】
図１８（Ａ）および（Ｂ）は、シーリング型の映像投射機能付き照明装置１０’の側面断面と下面図であり、この例では、筺体（シェード）１１の内部に取り付けた光学ユニット３０が、照明光束の端部に位置するように配置したものである。
【００７９】
また、図１９（Ａ）および（Ｂ）に示すシーリング型の映像投射機能付き照明装置１０’では、光学ユニット３０を、図１７のレイアウト（配列）と図１８のレイアウト（配列）との中間の位置に配置している。なお、これらのこのレイアウト（配列）によれば、上記の例と同様、照明装置としての見た目の品位が低下してしまうことを抑制することが可能となる。
【００８０】
更に、図２０（Ａ）および（Ｂ）に示すシーリング型の映像投射機能付き照明装置１０’では、照明用光源２０用の基板２１の端部を垂直方向に延長して円筒状に形成し、その底面に複数の半導体発光素子（ＬＥＤ）２２を取り付けると共に、当該円筒状の基板２１の外周表面にも複数の半導体発光素子（ＬＥＤ）２２を取り付けるように構成した例である。これにより、照明光を下方に加えて側方にも照射することを可能としたものである。なお、この例では、光学ユニット３０は、下方への照明光束の略中央部に位置するように配置されている。なお、光学ユニット３０の配置は下方への照明光の照明光束の略中央部でなくともよい。下方への照明光の照明光束の端側すなわち円筒の側面近くに配置してもよい。
【００８１】
また、筺体１１の下面の開口面の拡散板１２（下方拡散板）に加えて、筺体１１の外周にも拡散板１２（側方拡散板）が取り付けられている。かかる構成によれば、上述した光学ユニット縦置きの効果に加えて、映像投射機能付き照明装置１０の側方にも照明光を照射することができる（広い範囲の照明機能）。当該構成によれば、シーリング型の映像投射機能付き照明装置において、図１４の映像投射機能付き照明装置と同様の効果を実現することができる。
【００８２】
図２０の例では、図１３と同様、方向が異なる複数の照射方向を有する照明機能を有するので、図１３で説明したように照明機能の複数の照射方向の照射光と映像投射機能の投射映像について複数のモードの切り替え制御を行ってもよい。
【００８３】
そして、図２１に示すシーリング型の映像投射機能付き照明装置１０’では、例えば、上記図１８において、複数の半導体発光素子（ＬＥＤ）２２を備えた照明用光源２０用の基板２１に代えて、例えば、ＥＬ（エレクトロルミネッセンス）等の面状の発光体１２１を採用し、当該発光体１２１を図１８の拡散板１２の位置）に配置した構成を示す。かかる構成によれば、照明光は、光学ユニット３０が内部に収納された筺体１１の下端部を覆う発光体１２１から照射されることから、内部の光学ユニット３０が外部から認識されることなく、照明装置としての見た目の品位の低下をより確実に抑制することが可能となる。
【００８４】
なお、本例では、光学ユニット３０は、下方への照明光束の端部に位置するように配置されている例のみを示したが、これに限定されることなく、略中央部に、または、その中間の位置に配置しても、同様の効果を達成することが可能となる。
【００８５】
なお、図２１は、図１８から複数の半導体発光素子（ＬＥＤ）２２を無くし、拡散板１２の部分に面状の発光体１２１を配置したものである。同様の考え方で、図２０の構成例において、複数の半導体発光素子（ＬＥＤ）２２を無くし、拡散板１２の部分に面状の発光体１２１を配置し、更に面状の発光体１２１を、その面の角度に応じて下方向照射領域と側光照射領域に分割することも可能である。
【００８６】
この場合、面状の発光体１２１の下方向照射領域の発光と側光照射領域の発光とをそれぞれ制御可能とする構成とすれば、面状の発光体１２１を照明機能として有し、かつ複数の照射方向に照明光を照射可能な映像投射機能付き照明装置１０’を実現できる。この場合、図１３と同様、方向が異なる複数の照射方向を有する照明機能を有するので、図１３で説明したように照明機能の複数の照射方向の照射光と映像投射機能の投射映像について複数のモードの切り替え制御を行ってもよい。
【００８７】
以上、本発明の種々の実施例になる映像投射機能付き照明装置について述べた。しかしながら、本発明は、上述した実施例のみに限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００８８】
１０…照明装置、１１…本体（筺体）（シェード）、１２…拡散板、２０…照明用光源、２２…半導体発光素子（ＬＥＤ）、３０…光学ユニット、３１…光源、３２…表示部、３４…投射光学系。
【図１】
2016103512.tif 000003
【図２】
2016103512.tif 000004
【図３】
2016103512.tif 000005
【図４】
2016103512.tif 000006
【図５】
2016103512.tif 000007
【図６】
2016103512.tif 000008
【図７】
2016103512.tif 000009
【図８】
2016103512.tif 000010
【図９】
2016103512.tif 000011
【図１０】
2016103512.tif 000012
【図１１】
2016103512.tif 000013
【図１２】
2016103512.tif 000014
【図１３】
2016103512.tif 000015
【図１４】
2016103512.tif 000016
【図１５】
2016103512.tif 000017
【図１６】
2016103512.tif 000018
【図１７】
2016103512.tif 000019
【図１８】
2016103512.tif 000020
【図１９】
2016103512.tif 000021
【図２０】
2016103512.tif 000022
【図２１】
2016103512.tif 000023
【国際調査報告】
2016103512.tif 000024
2016103512.tif 000025
2016103512.tif 000026
2016103512.tif 000027